(57)【要約】【課題】大型の表示装置を備えた弾球遊技機の製造時の組み立て性やメインテナンス性を向上させる。【解決手段】遊技領域５２に遊技球が発射されると遊技者に遊技を提供するぱちんこ遊技機１０は、遊技に関連する図柄や画像を表示可能な表示装置６４と、光透過性を有する透光板５１を含み、この透光板５１の表面に遊技領域５２を形成してなる遊技盤５０とを含む表示器ユニット７０を備え、遊技盤５０、表示装置６４、ケーシング７１、制御基板７２、基板カバー７３およびスペーサ７４とが一体化されている。【選択図】  図４
2007054392.tif 000002
【特許請求の範囲】
【請求項１】
遊技領域に遊技球が発射されると遊技者に遊技を提供する弾球遊技機において、
遊技に関連する図柄や画像を表示可能な表示装置と、光透過性を有する透光板を含み、この透光板の表面に前記遊技領域を形成してなる遊技盤とを含む表示器ユニットを備え、前記表示装置と前記遊技盤とが一体化されていることを特徴とする弾球遊技機。
【請求項２】
前記表示器ユニットは、前記表示装置を制御するための制御基板を更に含み、前記表示装置、前記遊技盤および前記制御基板が一体化されていることを特徴とする請求項１に記載の弾球遊技機。
【請求項３】
前記表示器ユニットは、前記表示装置を収容するケーシングを更に含み、前記表示装置、前記遊技盤、前記制御基板および前記ケーシングが一体化されていることを特徴とする請求項２に記載の弾球遊技機。
【請求項４】
前記表示器ユニットは、前記制御基板を保護する基板カバーを更に含み、前記表示装置、前記遊技盤、前記制御基板、前記ケーシングおよび前記基板カバーが一体化されていることを特徴とする請求項３記載の弾球遊技機。
【請求項５】
前記遊技盤と前記表示装置との間に、スペーサが介設されていることを特徴とする請求項４に記載の弾球遊技機。
【発明の詳細な説明】
【技術分野】
【０００１】
本発明は、遊技領域に遊技球が発射されると遊技者に遊技を提供するぱちんこ遊技機等の弾球遊技機に関する。
【背景技術】
【０００２】
従来から、ぱちんこ遊技機等の弾球遊技機として、光透過性を有する合成樹脂製の遊技盤と、この遊技盤の裏側に配置されたランプ等の電飾装置とを備えたものが知られている（例えば、特許文献１参照。）。この弾球遊技機では、光透過性を有する合成樹脂材を用いて遊技盤を構成することで、電飾装置を遊技盤裏面に配置できるようにし、それにより、遊技面の設計の制約を無くすと共に、電飾装置を所望の位置に配置できるようにしている。
【特許文献１】特開平１０−１７９８５４号公報
【発明の開示】
【発明が解決しようとする課題】
【０００３】
一方、弾球遊技機に関しては、遊技中の視覚的効果をより一層高めるために、遊技に関連する図柄や画像を表示可能な表示装置の画面サイズをできるだけ大きくすることが望まれている。このため、近年では、光透過性を有する遊技盤の裏側に大型画面を有する表示装置を配置した弾球遊技機も出現している。しかしながら、従来のこの種の弾球遊技機では、基本的に、大型の表示装置が弾球遊技機の枠体に取り付けられ、表示装置を覆うように遊技盤が取り付けられる。このため、このような弾球遊技機の製造工程は比較的煩雑かつ手間の掛かるものとなり、また、表示装置の交換やメインテナンスにも専門性が要求されていた。
【０００４】
そこで、本発明は、大型の表示装置を備えた弾球遊技機の製造時の組み立て性やメインテナンス性を向上させることを目的とする。
【課題を解決するための手段】
【０００５】
本発明による弾球遊技機は、遊技領域に遊技球が発射されると遊技者に遊技を提供する弾球遊技機において、遊技に関連する図柄や画像を表示可能な表示装置と、光透過性を有する透光板を含み、この透光板の表面に前記遊技領域を形成してなる遊技盤とを含む表示器ユニットを備え、表示装置と遊技盤とが一体化されていることを特徴とする。
【０００６】
この弾球遊技機は、遊技に関連する図柄や画像を表示可能な表示装置と、遊技盤とを含む。遊技盤は、光透過性を有する透光板を含み、この透光板の表面に遊技領域が形成されている。従って、この弾球遊技機では、大画面を有する表示装置を遊技盤の背後に配置することにより、遊技中の視覚的効果を容易に向上させることができる。そして、これらの表示装置と遊技盤とは互いに一体化されている。従って、弾球遊技機の製造時には、表示装置と遊技盤とを同時に枠体に対して取り付けることができるので、組立時間を短縮化すると共に、組み立て自体を容易にすることができる。また、弾球遊技機のメインテナンスに際しては、表示装置と遊技盤とを同時に枠体から取り外すことができるので、表示装置の交換や修理を容易に実行することができる。この結果、この弾球遊技機によれば、表示装置が大型のものであっても、製造時の組み立て性やメインテナンス性を容易に向上させることが可能となる。
【０００７】
この場合、表示器ユニットは、表示装置を制御するための制御基板を更に含み、表示装置、遊技盤および制御基板が一体化されていると好ましい。また、表示器ユニットは、表示装置を収容するケーシングを更に含み、表示装置、遊技盤、制御基板およびケーシングが一体化されていると好ましい。更に、表示器ユニットは、制御基板を保護する基板カバーを更に含み、表示装置、遊技盤、制御基板、ケーシングおよび基板カバーが一体化されていると好ましい。
【０００８】
これらの態様のように、表示装置を良好に作動させるための構成部品を適宜一体化させることにより、製造時の組み立て性やメインテナンス性をより一層に向上させることが可能となる。
【０００９】
そして、遊技盤と表示装置との間に、スペーサが介設されていると好ましい。この態様によれば、遊技盤と表示装置との間に役物を駆動するソレノイドの配置スペースや遊技球の通路のためのスペース、配線の取回しスペース等を確保することが可能となる。
【発明の効果】
【００１０】
本発明によれば、大型の表示装置を備えた弾球遊技機の製造時の組み立て性やメインテナンス性を向上させることが可能となる。
【発明を実施するための最良の形態】
【００１１】
図１は、本発明による弾球遊技機の一例であるぱちんこ遊技機の正面図である。同図に示されるぱちんこ遊技機１０は、主として遊技機枠と遊技盤５０とから構成される。ぱちんこ遊技機１０の遊技機枠は、外枠１１、前枠１２、ガラス板１３、扉１４、上球皿１５、下球皿１６、および発射ハンドル１７を含む。
【００１２】
外枠１１は、開口部を有し、ぱちんこ遊技機１０を設置すべき位置に固定するために用いられる。前枠１２は、外枠１１の開口部分に整合する枠体であり、図示されないヒンジを介して外枠１１へ開閉可能に取り付けられる。前枠１２は、遊技球を発射するための球発射機構や、遊技盤５０を着脱可能に収容するための機構、遊技球を誘導または回収するための機構等を含む。ガラス板１３は扉１４により支持されており、扉１４は、図２に示されるように、ヒンジ４６，４７を介して前枠１２へ開閉可能に取り付けられる。同様に、上球皿１５も、ヒンジ４８を介して前枠１２に開閉可能に取り付けられている。上球皿１５は、遊技球の貯留、発射レールへの遊技球の送り出し、下球皿１６への遊技球の抜き取り等を行う機構を有する。下球皿１６は、遊技球の貯留、抜き取り等を行う機構を有する。上球皿１５と下球皿１６の間にはスピーカ１８が設けられており、このスピーカ１８により遊技状態などに応じた効果音が出力される。
【００１３】
図２に示されるように、扉１４および上球皿１５が開放されると、前枠１２と共に、それに取り付けられた遊技盤５０が露出される。遊技盤５０は、図１および図２に示されるように、透光板５１、遊技領域５２、内レール５４、外レール５６、アウト口５８、大入賞口２８、普通電動役物２６、２つの作動口２２、および４つの一般入賞口２４等を有している。そして、透光板５１の背後には、大型の表示装置６４が配置されている。遊技者は、遊技中に、上記ガラス板１３および遊技盤５０の透光板５１を介して表示装置６４の表示画面６４ａを視認することができる。
【００１４】
透光板５１は、透明性、強度、および耐温度性能等を考慮して、ＡＢＳ樹脂等により形成されている。そして、内レール５４および外レール５６は、透光板５１の表面に固定されており、内レール５４および外レール５６により、概ね円形の遊技領域５２が画成される。そして、透光板５１には、図示されない多数の遊技釘が打ち込まれると共に、複数の風車（図示省略）が配置されている。これら遊技釘や風車を安定して固定するために、透光板５１の厚さは、およそ１０ｍｍ程度とされている。このように透光板５１としては、比較的厚く、しかも大面積の樹脂板が用いられる。このため、遊技盤５０の重量も比較的大きなものとなる。
【００１５】
内レール５４は、透光板５１の右上部から時計回りに透光板５１の左上部まで延在し、その左上端にはバネ部５４ａが形成されている。外レール５６は、透光板５１の右上部から反時計回りに透光板５１の左下部まで延在する。外レール５６は、内レール５４の左側外周面に沿って延びる内周面を有し、この外レール５６の内周面と、内レール５４の左側外周面とは、遊技球を遊技領域５２へと案内する球発射通路９２を画成する。そして、内レール５４のバネ部５４ａは、遊技領域５２から球発射通路９２へ遊技球が逆流することを抑制する逆流抑制手段として機能する。
【００１６】
また、大入賞口２８、普通電動役物２６、２つの作動口２２、および４つの一般入賞口２４は、透光板５１上であって遊技領域５２の下部にそれぞれ配置される。本実施形態においては、これらは、透光板５１を介して視認される表示画面６４ａをできる限り遮らないように、すべて遊技領域５２の下側約４分の１の範囲に配置される。そして、アウト口５８は、遊技領域５２の最下部に位置するように設けられている。遊技領域５２に発射された遊技球のうち、普通電動役物２６、大入賞口２８、および一般入賞口２４の何れにも入球しなかった遊技球は、アウト口５８を介して遊技領域５２から排出される。
【００１７】
大入賞口２８は、遊技領域５２の幅方向略中央かつアウト口５８の上方に配置される。大入賞口２８は、遊技球の入球を検出するための入球検出装置３８と、開閉部材を開閉させるための大入賞口ソレノイド６２とを備え、遊技球の受け入れ状態が遊技者に不利な状態と有利な状態との間で変化する可変入球装置として構成されている。すなわち、大入賞口ソレノイド６２の駆動制御することにより大入賞口２８の開閉部材を開閉させることができる。そして、遊技球は、閉鎖状態にある大入賞口２８には入球できず、開放状態となったときにはじめて大入賞口２８に入球可能となる。
【００１８】
普通電動役物２６は、遊技球の入球を検出するための入球検出装置３６と、開閉部材を開閉させるための普通電動役物ソレノイド６０を備える。普通電動役物２６は、遊技領域５２の幅方向の略中央かつ大入賞口２８の上方に配置される。普通電動役物２６への遊技球の入球は、大入賞口２８を開放させるための抽選の契機となる。すなわち、普通電動役物２６は、大入賞口２８を開放させるための抽選を開始させる始動入賞口として機能する。普通電動役物２６は、遊技球の受け入れ状態が遊技者に不利な状態と有利な状態との間で変化するように構成された可変入球口であり、普通電動役物ソレノイド６０の駆動制御することにより、その開閉部材を開閉させることができる。
【００１９】
２つの作動口２２は、上方から下方へ遊技球が通過可能なゲート式の入球口であり、それぞれ遊技球の通過を検出するための通過検出装置３２を備える。このように、ゲート式の作動口２２を採用することにより、作動口２２が配置される透光板５１の裏面側に、排出された遊技球を案内する手段を設ける必要がなくなる。これにより、表示画面６４ａを遮る部材を低減し、表示画面６４ａの視認性を向上させることができる。これら作動口２２への遊技球の通過は、普通電動役物２６を開放させるための抽選の契機となる。作動口２２は、普通電動役物２６の左右両側に普通電動役物２６から多少離間して配置される。作動口２２を通過した遊技球は、そのまま遊技領域５２内を落下し、アウト口５８を介して遊技領域５２から排出される。
【００２０】
４つの一般入賞口２４は、それぞれ入球検出装置３４を備える。一般入賞口２４は、普通電動役物２６の左右両側、かつ各作動口２２の外側にそれぞれ２つずつ配置される。一般入賞口２４は、それぞれ内レール５４の内周面に沿って配置される。これにより、一般入賞口２４によって表示画面６４ａが遮られることを低減することができる。右側の２つの一般入賞口２４は、右カバー４３と一体に形成されている。また、左側の２つの一般入賞口２４は、左カバー４４と一体に形成されている。一般入賞口２４に入球した遊技球は、透光板５１の裏面側に設けられた球排出路に案内される。一般入賞口２４および右カバー４３、左カバー４４は、遮光性を有する素材により形成される。これにより、透光板５１の裏面側に設けられた球排出路が遊技者に視認され得なくなる。
【００２１】
透光板５１の裏面側に配置される表示装置６４として、本実施形態では、大型の表示画面６４ａを有する液晶表示装置（ＬＣＤ）が採用されている。表示画面６４ａは、遊技領域５２と同程度の幅を有すると共に、遊技領域５２よりも多少小さい高さを有する。このように、ぱちんこ遊技機１０では、大型の表示画面６４ａを有する表示装置６４を遊技盤５０の背後に配置することにより、遊技中の視覚的効果を容易に向上させることができる。なお、表示装置６４として、有機ＥＬディスプレイ、プラズマディスプレイなど、平坦な表示画面を有する他の装置が採用されてもよい。
【００２２】
表示画面６４ａの右側部には、特別図柄を変動表示させるための特別図柄表示領域８６が設けられている。特別図柄は、普通電動役物２６への遊技球の入球を契機として行われる抽選の結果に応じた図柄であり、大当たりを発生させるか否かを示す役割をもつ。特別図柄表示領域８６には、特別図柄として例えば「０」〜「９」の数字が表示される。また、特別図柄表示領域８６の近傍には、特別図柄の変動の保留球数を表示させるための保留球表示領域８８が設けられている。この保留球数は、特別図柄の変動がまだ実行されていない入賞球の数を示す。
【００２３】
また、表示画面６４ａの略中央には、装飾図柄表示領域９０が設けられている。装飾図柄表示領域９０には、特別図柄に連動する装飾図柄を含む演出画像が変動表示される。装飾図柄は、特別図柄により示される特別図柄抽選の結果を視覚的に演出するための図柄である。装飾図柄表示領域９０には、装飾図柄として、例えばスロットマシンのゲームを模した複数列の図柄等が変動表示される。
【００２４】
なお、遊技領域５２の左側部には、ＬＥＤを含む普通図柄表示装置８２が設けられている。また、普通図柄表示装置８２の近傍には、普通図柄変動用の保留球ランプ８４が設けられる。普通図柄変動用の保留球ランプ８４は３個のランプからなり、その点灯個数によって普通図柄の変動の保留球数を表示する。この保留球数は、普通図柄の変動がまだ実行されていない入球の数を示す。
【００２５】
上述のように構成されるぱちんこ遊技機１０では、遊技者が発射ハンドル１７を回転させると、その回転角度に応じた強度で上球皿１５に貯留された遊技球が１球ずつ発射され、球発射通路９２を通過して遊技領域５２へと進入する。遊技者が発射ハンドル１７の位置を固定すると、一定の時間間隔で遊技球の発射が繰り返される。遊技領域５２の上部に進入した遊技球は、複数の遊技釘や風車に当たりながらその当たり方に応じた方向へ落下する。そして、遊技球が一般入賞口２４、作動口２２、普通電動役物２６、大入賞口２８の何れかに入球すると、その入賞口の種類に応じた賞球が上球皿１５または下球皿１６に払い出される。一般入賞口２４等の各入賞口に入球した遊技球はセーフ球として処理され、アウト口５８に落入した遊技球はアウト球として処理される。なお、本明細書における「落入」、「入球」、「入賞」とは、それぞれ「通過」を含むものとする。
【００２６】
普通電動役物２６に遊技球が入球すると、特別図柄表示領域８６において特別図柄が変動表示される。このとき、装飾図柄表示領域９０には、特別図柄の変動表示と連動する形で装飾図柄が変動表示される。特別図柄表示領域８６および装飾図柄表示領域９０の変動表示は、それに先だって決定された表示時間の経過後に停止される。停止時の特別図柄および装飾図柄が当たりの態様であった場合、遊技状態が、通常遊技よりも遊技者に有利な特別遊技に移行し、大入賞口２８の開閉動作が開始される。この際、スロットマシンのゲームを模した装飾図柄は、３つの図柄が一致した状態を示す。大入賞口２８は、約３０秒間開放された後、または９球以上の遊技球が入球した後に一旦閉鎖される。このような大入賞口２８の開閉は、所定条件下で例えば１５回繰り返される。
【００２７】
特別遊技が発生した場合に更に所定の条件が満たされた場合、特別遊技の終了後に特定遊技として確率変動遊技（以下、「確変」という）や時間短縮変動遊技（以下、「時短」という）が開始される。確変中は、通常よりも当たりの確率が高い抽選が行われ、比較的早期に新たな特別遊技が発生する。時短は、例えば特別図柄が１００回変動するまで継続され、時短中には、特別図柄の変動時間が短縮される。
【００２８】
作動口２２を遊技球が通過すると、所定時間だけ普通図柄表示装置８２において普通図柄が変動表示される。所定時間の経過後に普通図柄が所定の当たり態様にて停止すると、普通電動役物２６が所定時間だけ開放される。通常、普通図柄が当たり態様で停止する確率は比較的低く設定されるが、時短中にはその確率が高められ、これにより、時短中には普通電動役物２６が開放される確率も高くなる。また、時短中においては、普通図柄の変動表示時間が短縮されると共に、普通電動役物２６が開放状態となる時間が相対的に長く設定される。このように、時短中は普通電動役物２６が開放され易くなり、しかも開放される回数や開放時間も増加する。従って、時短中であるか否かにより、普通電動役物２６における遊技球の受け入れ容易性が大きく変化すると共に、普通電動役物２６への入賞による出玉に大きな差が生じる。すなわち、時短中、遊技者は出玉を殆ど減らすことなく遊技を進行させることができるので、その間、遊技者に大きな利益を付与することができる。
【００２９】
さて、本実施形態のぱちんこ遊技機１０において、遊技盤５０は、上述のように表面に遊技領域５２が形成されている透光板５１を含み、透光板５１の背後には、遊技に関連する図柄や画像を表示可能な大型の表示画面６４ａをもった表示装置６４が配置されている。そして、本実施形態では、図３および図４に示されるように、遊技盤５０と表示装置６４とが一体化されて表示器ユニット７０を構成している。
【００３０】
図４からわかるように、表示器ユニット７０は、透光板５１等を含む遊技盤５０、表示装置６４に加えて、ケーシング７１、制御基板７２、および基板カバー７３を含み、これらの要素は、接着剤やボルトナット、ねじ等の適切な固定手段により互いに固定・一体化されている。ケーシング７１は、表示装置６４を収容するものである。また、制御基板７２には、表示装置６４を制御するための電子回路が実装されている。そして、基板カバー７３は、ケーシング７１の裏面に配置された制御基板７２を保護するように、ケーシング７１に対して固定される。
【００３１】
そして、遊技盤５０（透光板５１）の裏面と、表示装置６４およびケーシング７１との間には、スペーサ７４が介設される。このスペーサ７４によって、透光板５１と表示画面６４ａとが隔てられ、普通電動役物ソレノイド６０や大入賞口ソレノイド６２等の配置スペースや、遊技球の通路のためのスペース、配線の取回しスペース等が確保されることになる。更に、スペーサ７４には、球排出路形成部材７５、下部カバー７６、および上部カバー７７が取り付けられる。球排出路形成部材７５、下部カバー７６、および上部カバー７７は、いずれも樹脂を射出成形したものである。球排出路形成部材７５は、遊技盤５０と表示装置６４との間に遊技球の通路を画成する。下部カバー７６も、球排出路形成部材７５と共に遊技球の球排出路を形成し、下部カバー７６には、アウト口連通孔、大入賞口連通孔、一般入賞口連通孔等が設けられている。上部カバー７７は、スペーサ７４や前枠１２が遊技者により視認されることを防止するためのものであり、前枠１２の一部およびスペーサ７４の一部を覆うように配置される。
【００３２】
このように、本実施形態のぱちんこ遊技機１０では、遊技盤５０と表示装置６４とが互いに一体化されて表示器ユニット７０を構成する。従って、ぱちんこ遊技機１０の製造時に、比較的重い遊技盤５０と表示装置６４とを同時に前枠１２に対して取り付けることができるので、組立時間を短縮化すると共に、組み立て自体を容易にすることができる。また、ぱちんこ遊技機１０のメインテナンスに際しては、遊技盤５０と表示装置６４とを同時に前枠１２から取り外すことができるので、表示装置６４の交換や修理を容易に実行することができる。この結果、ぱちんこ遊技機１０によれば、表示装置６４が大型のものであっても、製造時の組み立て性やメインテナンス性を容易に向上させることが可能となる。また、本実施形態の表示器ユニット７０は、ケーシング７１、制御基板７２、基板カバー７３、スペーサ７４といった表示装置６４を良好に作動させるための構成部品をすべて一体化させたものであるので、これにより、製造時の組み立て性やメインテナンス性をより一層に向上させることが可能となる。
【図面の簡単な説明】
【００３３】
【図１】本発明による弾球遊技機の一例であるぱちんこ遊技機の正面図である。
【図２】図１のぱちんこ遊技機の扉および上球皿を開放した状態を示す正面図である。
【図３】図１のぱちんこ遊技機の要部を示す分解斜視図である。
【図４】図１のぱちんこ遊技機の要部を示す分解斜視図である。
【符号の説明】
【００３４】
１０  ぱちんこ遊技機、１２  前枠、１７  発射ハンドル、２２  作動口、２４  一般入賞口、２６  普通電動役物、２８  大入賞口、５０  遊技盤、５１  透光板、５２  遊技領域、５８  アウト口、６４  表示装置、６４ａ  表示画面、７０  表示器ユニット、７１  ケーシング、７２  制御基板、７３  基板カバー、７４  スペーサ、７５  球排出路形成部材、７６  下部カバー、７７  上部カバー、８２  普通図柄表示装置、８４  保留球ランプ、８６  特別図柄表示領域、８８  保留球表示領域、９０  装飾図柄表示領域。
【図１】
2007054392.tif 000003
【図２】
2007054392.tif 000004
【図３】
2007054392.tif 000005
【図４】
2007054392.tif 000006